(57)【要約】  本発明は、電子コンポーネント等を保持するように設計された金属ハウジング（２）に関する。前記ハウジングは、固定ねじ（６）を受容するためのボア（１６）を有するレッジ（２０）が設けられた側壁（８）を有している。側壁（８）は、ボア（１６）において、凹んだ領域（１０）を有しており、この凹んだ領域の凹みはハウジング（２）の外側に向けられており、レッジ（２０）は、凹んだ領域（１０）の上方に垂れ下がるねじ（６）を受容する。
2007534137.tif 000002
【特許請求の範囲】
【請求項１】
金属製のハウジング（２）、特に電子コンポーネント又は同様のコンポーネントを内包するためのハウジング（２）であって、固定ねじ（６）を受容するためのボア（１６）を有するレッジ（２０）を備えた側壁（８）が設けられている形式のものにおいて、該側壁（８）が、ボア（１６）において、凹んだゾーン（１０）を有しており、該凹んだゾーンの凹みが、ハウジング（２）の外側に向けられており、前記レッジ（２０）が、凹んだゾーン（１０）の上方に垂れ下がるねじ（６）を受容するようになっていることを特徴とする、ハウジング。
【請求項２】
側壁（８）が実質的に平らであり、張り出したレッジ（２０）が実質的に側壁（８）の平面と交差していない、請求項１記載のハウジング。
【請求項３】
側壁（８）が実質的に平らであり、張り出したレッジ（２０）が実質的に壁（８）の平面に対して垂直である、請求項１又は２記載のハウジング。
【請求項４】
側壁（８）が実質的に平坦であり、凹んだゾーン（１０）が、固定ねじ（６）を螺入することによって生ぜしめられるあらゆる削り屑をハウジング（２）の外側に向かって排出するために、側壁（８）の平面に対して傾斜させられた面（１４）を有している、請求項１から３までのいずれか１項記載のハウジング。
【請求項５】
傾斜させられた面（１４）が、実質的に側壁（８）に対して平行な壁の部分（１２）によって、張り出したレッジ（２０）に接続されている、請求項３又は４記載のハウジング。
【請求項６】
カバーを形成したキャップ（４）が設けられており、電子コンポーネント又は同様のコンポーネントがプリント回路板（２２）によって支持されており、プリント回路板（２２）の縁部が、キャップ（４）と、固定ねじ（６）を受容するためのレッジ（２０）との間に挟まれており、固定ねじがプリント回路板（２２）を貫通している、請求項１から５までのいずれか１項記載のハウジング。
【発明の詳細な説明】
【技術分野】
【０００１】
本発明はハウジング、特に、例えばプリント回路板（ＰＣＢ）又は同様のエレメントに取り付けられた、電気的又は同様のコンポーネントを収容するためのハウジングに関する。
【０００２】
特にエレクトロニクス分野において、内部において電子コンポーネントがプリント回路板上に配置されている金属ハウジングを使用することが公知である。このハウジングは、必要な場合にはプリント回路板から成るカバーを有している。カバーは、ハウジングを反転可能に閉鎖するためにハウジングにねじ留めされている。しばしば、使用されるねじは、タッピンねじ又は自己成形ねじ等の、ねじ込み中に自己のタッピングを生ぜしめるねじである。ねじ込まれる時、削り屑が生ぜしめられ、削り屑はハウジング内に落下し、ねじはハウジングの外側から挿入されている。したがって、生ぜしめられた削り屑は時にはプリント回路板上に落下する。次いで、削り屑は、プリント回路板上に配置された電子コンポーネントのピンの間に、又はこの回路の２つのトラックの間に短絡を生ぜしめる。したがって、削り屑は電子デバイスを使用不可能にする。
【０００３】
コンポーネントは今や、プリント回路板上にますます互いに接近して植設されるので、削り屑によって生ぜしめられる短絡という問題は、ますます頻繁になっており、従って、ますます許容されなくなっている。
【０００４】
したがって、本発明の目的は、その設計を介して、その内部に配置されたプリント回路板に削り屑が到達するのを阻止するハウジングを提供することである。好適には、提案されたハウジングは、従来技術のハウジングよりも著しくコストがかかるということはない。
【０００５】
したがって、本発明は、金属ハウジング、特に、固定ねじを収容するためのボアを有するレッジを備えた側壁を有する、電子的又は同様のコンポーネントを収容するためのハウジングを提案する。
【０００６】
本発明によれば、側壁はボアにおいて、凹んだゾーンを有しており、この凹んだゾーンの凹みはハウジングの外側に向けられており、レッジは、凹んだゾーンの上方に垂れ下がるねじを収容する。
【０００７】
このようなハウジングを用いることにより、ねじがレッジにねじ込まれると、レッジを貫通したねじのステムは、ハウジングの外側の凹んだゾーンに進入し、ねじ込みの間に形成されたあらゆる削り屑を連行する。したがって、これらの削り屑は、ハウジングの外側へ運ばれるので、ハウジング内部の電子的又はその他のコンポーネントを汚染しない。
【０００８】
本発明によるハウジングの外部寸法が従来技術の同様のハウジング（すなわち同じコンポーネントを包囲したハウジング）と変わらないようにするために、側壁が実質的に平坦であるならば、張り出したレッジが、壁の平面と交差しないようにする。
【０００９】
側壁が実質的に平坦である場合、張り出したレッジは好適には実質的に壁の平面に対して垂直である。したがって、レッジに受容されたねじは、実質的に壁に対して平行に延びている。
【００１０】
削り屑をハウジングの外側に排出し、削り屑をハウジングに近づけないことを容易にするために、側壁が実質的に平坦である場合、有利には、固定ねじのねじ込みによって生ぜしめられた削り屑をハウジング外側に向かって排出するために、凹んだゾーンが、側壁の平面に対して傾斜した面を有している。この実施形態において、傾斜した面は有利には、実質的に側壁に対して平行な壁の部分によって、張り出したレッジに接続されている。側壁に対して平行な壁のこの部分は、固定ねじが所定の位置にある場合に、固定ねじのステムの高さにあり、レッジが側壁に対して垂直である程度にまで、このねじステムに対して平行である。この配列により、凹んだゾーンによってハウジング内部に占められる空間を制限することができ、かつ、ねじが、ねじのステムが収容される凹んだゾーンの壁部を損傷することを防止することができる。
【００１１】
本発明によるハウジングの実施形態において、ハウジングは、カバーを形成した金属キャップを有しており、電子的又は同様のコンポーネントはプリント回路板によって支持されており、プリント回路板の縁部が、キャップと、固定ねじを受容するためのレッジとの間に挟まれており、固定ねじはプリント回路板を貫通している。
【００１２】
本発明の詳細及び利点は、添付の概略的な図面を参照した以下の説明からより明らかになるであろう。
【００１３】
図１は、本発明によるハウジングを示す斜視図である。
【００１４】
図２は、図１のハウジングを示す正面図である。
【００１５】
図３は、図２の断面ＩＩＩ−ＩＩＩに沿って見た断面図である。
【００１６】
図４は、図４の細部ＩＶを拡大して示した図である。
【００１７】
図面にはキャップ４によって閉鎖されたハウジング２が示されている。このハウジング２及び対応するキャップ４は、例えば金属薄板から形成されている。キャップ４をハウジング２に保持するためにねじ６が使用されている。好適には、ここでは、ナットを使用することなく優れた固定を許容する自己形成ねじが使用されている。このようなねじは、最初に適切なボア１６に螺入されるときに自己のタッピングを生ぜしめるように設計されている。
【００１８】
図２は、ハウジング２の側壁８を示している。キャップ４はこの側壁８に対して垂直に位置決めされている。それぞれのねじ６において、側壁８は凹んだゾーン１０を有している。この凹んだゾーン１０は２部底部を有している。第１の部分１２は実質的に側壁８に対して平行である。この第１の部分１２は、対応するねじ６の側にあり、自己形成ねじ６を支持するボア１６を貫通したねじ６のステムの長さに実質的に等しい高さに亘って延びている。凹んだゾーン１０の底部の第２の部分１４は実質的に平らである。この第２の部分は、側壁８を、側壁８に対して平行でかつ側壁８に対してハウジング２の内部に向かってずらされた第１の部分１２に接続している。したがって、凹んだゾーン１０の底部のこの第２の部分１４は、自己形成ねじ６に接近するに従ってハウジング２の内部に向かって次第に入り込んだ傾斜面を形成している。
【００１９】
凹んだゾーン１０の底部は、結合面１８によっても側壁８に結合されている。結合面１８は、実質的に側壁８に対して垂直であるか、又は図示したように、それ自体も傾斜されており、これにより、凹んだゾーン１０は皿のように見える。
【００２０】
残りの説明は、ハウジング２が、側壁８が実質的に垂直な位置を占めており、キャップ４がハウジング２の上部に実質的に水平に配置されているように配置されていることを仮定する。
【００２１】
凹んだゾーンの上方には、側壁８に対して実質的に垂直なレッジ２０が張り出している。このレッジ２０は、凹んだゾーン１０の底部の第１の部分１２に取り付けられており、第１の部分に対して直角を形成している。このレッジ２０は、自己形成ねじ６を受容するボア１６を支持している。したがって、レッジ２０は、ハウジング２の上部において、キャップ４のための支持面を形成している。図示した実施形態において、レッジ２０とキャップ４との間にはプリント回路板２が挟まれている。このプリント回路板２２は、図示されていない電子コンポーネントを支持している。
【００２２】
このハウジング２が組み立てられるとき、プリント回路板２２は、ハウジング２の上部に配置され、次いでキャップ４によって被覆される。ハウジング２のレッジ２０のボア１６に面したボアが、プリント回路板２２と、キャップ４とに設けられている。キャップ４及びプリント回路板２２に形成されたこれらのボアは、ねじ６のステムの直径よりも大きな直径を有している。したがって、組立て中には、ねじ６はこれらのボアを貫通し、最初の直径がねじ６のステムの直径よりも小さなボア１６において停止させられる。ねじ込むことによって、ねじはボア１６をタッピングし、ねじ６の結合を許容するねじ山付コラムを形成する。このコラムの形成中に、金属の削り屑が通常は形成される。これらの削り屑は重力によって、凹んだゾーン１０の底部の第２の部分１４に落下する。次いで、第２の部分１４は、このように形成された削り屑を排出するシュートを形成している。これらの削り屑はもはや、ハウジング２内に短絡を生じる危険性がない。
【００２３】
この実施形態において、ねじ６のステムはハウジングの外側に位置する。しかしながら、従来技術の同様のハウジングと比較して、ハウジングの外部寸法は変化していない。本発明によるハウジングのコスト価格は、実質的に従来技術のハウジングのものと同じである。したがって、本発明によるハウジングは、余分なコストなしに、プリント回路板上に又はコンポーネントの近くに落下する削り屑による短絡の問題（又はその他の電気的な問題）を確実に回避することを可能にする。
【００２４】
本発明は、非制限例として上に説明された好適な実施形態に限定されない。本発明は、以下の請求項に関連した当業者の範囲内の全ての可変実施形態にも関する。
【００２５】
すなわち、ハウジング、キャップ及び凹んだゾーンの形状は、発明のコンテクストから逸脱することなく変更されることができる。
【００２６】
ハウジングのレッジとキャップとの間のサンドイッチとしてのプリント回路板の組立ては選択的である。例えば、キャップを直接にハウジングに取り付けることができる。プリント回路板がハウジングのキャップを形成することも考えられる。固定ねじは、カバー、キャップ又は同様のエレメント以外のエレメントを取り付けるために使用されることもできる。
【図面の簡単な説明】
【００２７】
【図１】本発明によるハウジングを示す斜視図である。
【図２】図１のハウジングを示す正面図である。
【図３】図２の断面ＩＩＩ−ＩＩＩに沿って見た断面図である。
【図４】図４の細部ＩＶを拡大して示した図である。
【符号の説明】
【００２８】
２  ハウジング、  ４  キャップ、  ６  ねじ、  ８  側壁、    １０  凹んだゾーン、  １２  第１の部分、  １４  第２の部分、  １６  ボア、  ２０  レッジ、  ２２  プリント回路板
【図１】
2007534137.tif 000003
【図２】
2007534137.tif 000004
【図３】
2007534137.tif 000005
【図４】
2007534137.tif 000006
【手続補正書】
【提出日】平成17年3月1日(2005.3.1)
【手続補正１】
【補正対象書類名】特許請求の範囲
【補正対象項目名】全文
【補正方法】変更
【補正の内容】
【特許請求の範囲】
【請求項１】
金属製のハウジング（２）、特に電子コンポーネント又は同様のコンポーネントを内包するためのハウジング（２）であって、固定ねじ（６）を受容するためのボア（１６）を有するレッジ（２０）を備えた側壁（８）が設けられている形式のものにおいて、該側壁（８）が、ボア（１６）において、凹んだゾーン（１０）を有しており、該凹んだゾーンの凹みが、ハウジング（２）の外側に向けられており、前記凹んだゾーンが、固定ねじが螺入される時にあらゆる金属削り屑をハウジングの外側に向かって排出するのに適しており、前記レッジ（２０）が、凹んだゾーン（１０）の上方に垂れ下がるねじ（６）を受容するようになっていることを特徴とする、ハウジング。
【請求項２】
側壁（８）が実質的に平らであり、張り出したレッジ（２０）が実質的に側壁（８）の平面と交差していない、請求項１記載のハウジング。
【請求項３】
側壁（８）が実質的に平らであり、張り出したレッジ（２０）が実質的に壁（８）の平面に対して垂直である、請求項１又は２記載のハウジング。
【請求項４】
側壁（８）が実質的に平坦であり、凹んだゾーン（１０）が、固定ねじ（６）を螺入することによって生ぜしめられるあらゆる削り屑をハウジング（２）の外側に向かって排出するために、側壁（８）の平面に対して傾斜させられた面（１４）を有している、請求項１から３までのいずれか１項記載のハウジング。
【請求項５】
傾斜させられた面（１４）が、実質的に側壁（８）に対して平行な壁の部分（１２）によって、張り出したレッジ（２０）に接続されている、請求項３又は４記載のハウジング。
【請求項６】
カバーを形成したキャップ（４）が設けられており、電子コンポーネント又は同様のコンポーネントがプリント回路板（２２）によって支持されており、プリント回路板（２２）の縁部が、キャップ（４）と、固定ねじ（６）を受容するためのレッジ（２０）との間に挟まれており、固定ねじがプリント回路板（２２）を貫通している、請求項１から５までのいずれか１項記載のハウジング。
【国際調査報告】
2007534137.tif 000007
2007534137.tif 000008
2007534137.tif 000009
2007534137.tif 000010